(57)【要約】      （修正有）【課題】トレーを完全に取り外さない状態でも下箱に出し入れができ、取り外したトレーが単体でも使い易く、しかも収納した硬貨の金額もわかり易い手提金庫を提供する。【解決手段】本体１と、本体内１に取付けられて主に硬貨や紙幣を収納するトレー１０と、トレー１０の下側に収納された下箱２０と、本体１を開閉する蓋部２と、本体１に対して蓋部２を閉口状態で係止するロック手段３０と、手提手段を有する。トレーは収納した硬貨の種類ごとの合計金額または合計枚数を表示する硬貨収納部１２を備え、裏面に折り畳み式の自立用の補助脚を備える。【選択図】図２
0003160784.tif 000002
【実用新案登録請求の範囲】
【請求項１】
本体と、該本体内に取付けられて主に硬貨や紙幣を収納するトレーと、前記トレーの下側に収納された下箱と、前記本体を開閉する蓋部と、前記本体に対して前記蓋部を閉口状態で係止するロック手段と、手提手段を有する手提金庫であって、
前記トレーは収納した硬貨の種類ごとの合計金額または合計枚数を表示する硬貨収納部を備え、裏面に折り畳み式の自立用の補助脚を備えることを特徴とした手提金庫。
【請求項２】
前記トレーは、後端側が前記蓋部に軸支され前端側が前記下箱に載置され、前記蓋の開閉時に前記前端側が下箱の上をスライドすることを特徴とした請求項１に記載の手提金庫。
【請求項３】
前記硬貨収納部は、収納した硬貨の種類毎に合計金額を表示する２列の目盛が互い違いに形成され、収容された硬貨を所定枚数毎に区切るため略硬貨一枚分の厚さで区切用溝が形成されていることを特徴とした請求項１に記載の手提金庫。
【請求項４】
前記下箱は、紙幣収納部が設けられ、前記紙幣収納部には紙幣を押さえるため押さえ金具が取付けられていることを特徴とした請求項１に記載の手提金庫。
【考案の詳細な説明】
【技術分野】
【０００１】
本考案は、内部に硬貨収納用のトレーを備えた手提金庫に関する。
【背景技術】
【０００２】
従来、日常の小額の金銭管理に用いられ、持ち運びに便利なように小型軽量に作られた金庫として、特許文献１に示すような手提金庫があった。この手提金庫は、本体と、該本体内に取付けられて主に硬貨や紙幣を収納するトレーと、前記本体を開閉する蓋部と、前記本体に対して前記蓋部を閉口状態で係止するロック手段と、手提手段を有する手提金庫であって、さらに、前記トレーは収納した硬貨の種類ごとの合計金額または合計枚数を表示する目盛りを備えることを特徴としたものである。
【先行技術文献】
【特許文献】
【０００３】
【特許文献１】特開２００４−５２３２０号公報
【考案の概要】
【考案が解決しようとする課題】
【０００４】
しかしながら、この特許文献１に示す手提金庫は、トレーが取り外し可能であり、下側に高額紙幣や貴重品を入れられる構造になっているが、トレーを完全に取り外さないと下側に出し入れができないという不都合があった。
【０００５】
また、このトレーは取り外し自由でも、外した後のトレー単体での使用は考えておらず、トレー単体で使用する場合は水平状態となるので、硬貨の収納には不便があった。さらに、収納した硬貨の金額は、細かい目盛を見なければわからず、一目で概算を知りたい場合などには不便であった。
【０００６】
本考案は前述した従来の問題点に鑑みなされたものであり、トレーを完全に取り外さない状態でも下箱に出し入れができ、取り外したトレーが単体でも使い易く、しかも収納した硬貨の金額もわかり易い手提金庫を提供するものである。
【課題を解決するための手段】
【０００７】
上記課題を解決するため、本考案の請求項１に記載の手提金庫にあっては、本体と、該本体内に取付けられて主に硬貨や紙幣を収納するトレーと、前記トレーの下側に収納された下箱と、前記本体を開閉する蓋部と、前記本体に対して前記蓋部を閉口状態で係止するロック手段と、手提手段を有する手提金庫であって、前記トレーは収納した硬貨の種類ごとの合計金額または合計枚数を表示する硬貨収納部を備え、裏面に折り畳み式の自立用の補助脚を備えることを特徴とするものである。
【０００８】
また、本考案の請求項２に記載の手提金庫にあっては、前記トレーは、後端側が前記蓋部に軸支され前端側が前記下箱に載置され、前記蓋の開閉時に前記前端側が下箱の上をスライドすることを特徴としている。
【０００９】
また、本考案の請求項３に記載の手提金庫にあっては、前記硬貨収納部は、収納した硬貨の種類毎に合計金額を表示する２列の目盛が形成され、収容された硬貨を所定枚数毎に区切るため略硬貨一枚分の厚さで区切用溝が形成されていることを特徴としている。
【００１０】
さらに、本考案の請求項４に記載の手提金庫にあっては、前記下箱に紙幣収納部が設けられ、前記紙幣収納部には紙幣を押さえるための押さえ金具が取付けられていることを特徴とするものである。
【考案の効果】
【００１１】
本考案によれば、トレー裏面に折り畳み式の自立用の補助脚を備えたことにより、取り外したトレーは補助脚を立てて単体でも使用でき、利便性が高まるものである。また、トレーの一端が蓋部に軸支され、他端が下箱に載置されて、蓋の開閉時に前記下箱の上をスライドすることにより、トレーを完全に取り外さない状態でも下箱に紙紙幣などを出し入れができ、使い勝手が向上するものである。
【００１２】
また、前記硬貨収納部は、収納した硬貨の種類毎に合計金額を表示する２列の目盛が形成され、収容された硬貨を所定枚数毎に区切るため略硬貨一枚分の厚さで区切用溝が形成されたことにより、収納した硬貨の合計金額が容易にわかり、利便性が高まるものである。
【図面の簡単な説明】
【００１３】
【図１】本考案に係る手提金庫を示す斜視図である。
【図２】図１の手提金庫において蓋を開けた状態を示す斜視図である。
【図３】図２の側面図である。
【図４】図１の手提金庫において蓋を開けてトレーを取り外した状態を示す斜視図である。
【図５】図１の手提金庫においてトレーを取り外して単品で使用した状態を示す斜視図である。
【図６】図５のトレーの硬貨収納部を示す要部拡大図である。
【考案を実施するための形態】
【００１４】
以下、本考案の実施形態を添付図面に基づいて説明する。本考案に係る手提金庫は、図１乃至図４に示すように、本体１と、この本体１内に取付けられて主に硬貨を収納するトレー１０と、このトレー１０の下側に収納された下箱２０と、この本体１を開閉する蓋部２と、この本体１に対して蓋部２を閉口状態で係止するロック手段３０と、手提手段３を有する手提金庫である。
【００１５】
本体１は、図２または図４に示すように、上方が縁部に沿って開放されて矩形状の有底箱体であり、トレー１０と下箱２０を収納するようになっている。また、この本体１には後部において、蓋部２がヒンジ５などにより枢着されて、開閉自在となっている。そして、この本体１の前面にはロック手段３０が備えられており、盗難防止を図っている。さらに、この本体１は比較的軽量な金属材から構成して運搬のための利便性を高めたり、耐火性の高い部材を使用して耐火性能を高めることができる。
【００１６】
また、本考案の手提金庫は、図１に示すように、運搬における利便性を高めるために蓋部２の上面に手提手段３を備えている。この手提手段３は、蓋部２の上面を一部内側に陥没させて凹部を形成し、この凹部に取っ手４を倒した状態で収容し保管する。この保管時においては、取っ手４が、蓋部２の上面から突出しないが、運搬時には取っ手４を回転して起立させ、手で把持するものである。従って、保管時においては、取っ手４を蓋部２の上面から突出しないように収納することで、手提金庫を他の部材と干渉させることなく積み重ねられるものである。
【００１７】
また、本考案の手提金庫は、ロック手段３０を備えて盗難防止を図っているが、このロック手段３０は、蓋部２に備えられた係片３２、３２と、本体１の前面側の上面縁に設けられ係片３２、３２と係合する係合穴３１、３１が備えられている。そして、このロック手段３０は、図１に示すように、蓋部２を閉めると自動的にロック状態となり、このロック状態を解除するためにスライド動作を行う解除片３３が設けられている。さらに、上記ロック状態を保持または解除するために鍵部３４が設けられており、図示しない別体のキーで施錠または解錠を行うようになっている。
【００１８】
また、本考案の手提金庫は、蓋部２を開口させた場合には、蓋部２を所定の角度で起立させることができる開閉手段４０を備えている。この開閉手段４０は、図２乃至図４に示すように、弧状の開閉金具４１を備え、開閉金具４１の上端部を蓋部２に固定すると共に、開閉金具４１の下端部４１ｂを本体１の長穴４２内に収容し、上下方向に摺動可能に取付けてある。この開閉金具４１の下端部４１ｂは長穴４２の入口寸法より大きく形成されており、蓋部２が所定角度まで開いた時のストッパーとなっている。この開閉手段４０は、開閉金具４１の全長によって、本体１に対する蓋部２の開閉角度を限定するものである。このように、蓋部２の開閉角度を予め定めることにより、本体１に対して蓋部２を所定の角度で起立させることができるものである。
【００１９】
そして、蓋部２を所定の角度で起立させた時は、図２または図３に示すように、トレー１０が蓋部２の開閉動作に追随して下箱２０の上をスライドし、本体１と蓋部２の間を架橋する状態になる。そのため、図３または図４に示すように、蓋部２には、前記開閉金具４１の上端部４１ａを取付ける取付金具４３が取付けられており、この略Ｌ字状の取付金具４３の先端部に支持ピン４４が内向きに取付けられている。この支持ピン４４にトレー１０に形成された係合凹部１４が係合するものである。従って、トレー１０の係合凹部１４は支持ピン４４と共に動くので、蓋部２の開閉動作に追随してトレー１０の前端部１７が下箱２０の上をスライドするものである。
【００２０】
このように構成された手提金庫は、蓋部２を所定の角度で起立させると、トレー１０の前端部１７が下箱２０の約１/３の位置で止まるので、下箱２０に収納している紙幣などを取り出すことが可能となるものである。即ち、上側のトレー１０を取り外すことなく下箱２０を使用することが可能となり、使用上の利便性が高まるものである。
【００２１】
また、トレー１０を取り外した場合は、図４に示すように、下箱２０全体が露出する。下箱２０は、本体１に落とし込まれた状態で収納され、簡単に取り出せるものである。この下箱２０は、中央部に貴重品収納部２１を備え、両側に紙幣収納部２２、２２を備えたものである。そして、紙幣の収納部２２、２２には、紙幣を上から押さえる金属製の押さえ金具２３，２３が取付けられている。
【００２２】
さらに、トレー１０を本体１より取り外して使用する場合は、図５に示す通り、自立用の折畳み式の補助脚１１を立てて使用するものである。この補助脚１１は、トレー１０が本体１に収納されている場合は、トレー１０の背面に折畳まれているので、余分なスペースを取らず、使用時においては、トレー１０を斜めの状態で使用できるので、硬貨を収納し易く、収納した硬貨も見易くなるので、利便性が高まるものである。
【００２３】
そして、このトレー１０は、複数の硬貨収納部１２と用品収納部１８，１９を備えている。硬貨収納部１２は、１円、１０円、５０円、１００円および５００円の硬貨を分けて収納するため、それぞれ収納部１２ａ，１２ｂ，１２ｃ，１２ｄ，１２ｅ，１２ｆ，１２ｇ，１２ｈ，１２ｉに区分けされており、それぞれの硬貨の径に合わせた寸法で形成されている。これらの硬貨収納部１２には、手前側にガイド壁１３が設けられており、このガイド壁１３には、図６に示すように、それぞれ凹部１３ａ，１３ａ，１３ａ・・・が設けられ、指先による硬貨の出し入れを容易にしている。
【００２４】
そして、これらの収納部１２ａ，１２ｂ，１２ｃ，１２ｄ，１２ｅ，１２ｆ，１２ｇ，１２ｈ，１２ｉには、それぞれの硬貨の厚さに合わせた目盛が互い違いで２列に記されている。この目盛が２列になっているのは、１列にすると目盛の数字が小さく、読みにくくなるのを避けるためであり、硬貨で金額の数字が隠れて読めなくなるのを避けるためである。
【００２５】
また、トレー１０は、図５または図６に示すように、硬貨収納部１２に収納した硬貨の枚数を容易に把握できるように、１０枚毎に区切用溝１５，１５，１５・・・を形成してある。この区切用溝１５は、硬貨収納部１２に収納された当該硬貨の略一枚分の厚さで形成されており、収納される硬貨の丁度１０枚目が区切用溝１５に収納されるものである。このように構成されたトレー１０は、この硬貨収容部１２により、収納された硬貨が１０枚目毎に区切用溝１５に落ち込むので、容易に１０枚目であることがわかり、金額の把握には非常に便利になる。
【００２６】
上述した実施態様は、本考案の一例を説明したに過ぎず、その他の構成も本考案の請求の範囲内で任意に変更することができることは勿論である。例えば、実施例では区切用溝を１０枚毎に形成したが、１０枚に限定されるものではなく、５枚毎に形成しても良いのは、勿論である。
【符号の説明】
【００２７】
１は本体
２は蓋部
３は手提手段
４は取っ手
５はヒンジ
１０はトレー
１１は脚部
１２は硬貨収納部
１３はガイド壁
１４は係合凹部
１５は区切り用溝
２０は下箱
２１は硬貨収納部
２２は紙幣収納部
２３は押さえ金具
３０はロック手段
３１は係合穴
３２は係合片
４０は開閉手段
４１は開閉金具
４２は長穴
４３取付金具
４４は支持ピン
【図１】
0003160784.tif 000003
【図２】
0003160784.tif 000004
【図３】
0003160784.tif 000005
【図４】
0003160784.tif 000006
【図５】
0003160784.tif 000007
【図６】
0003160784.tif 000008